(57)【要約】【課題】  本発明は、重量物のハンドリング作業などの、指を挟まれるおそれのある作業時に指を保護する作業用手袋を提供することを課題とする。また、どのような作業用手袋を着用した場合でも、本発明の補強部材をその手袋に付加して着用できるようにする用具を提供することを課題とする。【解決手段】  作業用手袋であって、手の第二指〜第五指の４指が管状の補強部材で覆われており、前記管状の補強部材は各指について２つ以上の管から成り、前記の管は各指の関節部で指の屈伸が可能であるように結合されている作業用手袋。【選択図】          図１
2005240221.tif 000002
【特許請求の範囲】
【請求項１】
作業用手袋であって、
手の第二指〜第五指の４指が管状の補強部材で覆われており、
前記管状の補強部材は各指について２つ以上の管から成り、
前記の管は各指の屈伸が可能であるように結合されている作業用手袋。
【請求項２】
作業用手袋の手の甲の部分に、
前記管状の補強部材を着脱するための部材が設けられている、
請求項１に記載の作業用手袋。
【請求項３】
手首に着用する帯状部材に、
手の甲を覆う部材が取付けられており、
前記の手の甲を覆う部材に、
前記管状の補強部材を着脱するための部材が設けられている、
前記管状の補強部材を装着するための用具。
【発明の詳細な説明】
【技術分野】
【０００１】
本発明は、指を挟まれてケガをする危険を減らすために、指を保護する補強部材が取付けられた作業用手袋に関する。また一般的な作業用手袋の上から該補強部材を装着するための用具に関する。
【背景技術】
【０００２】
手で物を取り扱う際に手の滑りを防止したり、高熱の物を取り扱う際に火傷を負うことを防止するための作業用手袋が一般に用いられている。また刃物やガラス片で切り傷、刺し傷等を負うことを防止するための手袋も用いられている。
【０００３】
特許文献１には切創から手指を保護し、かつ着用時の指先の操作性にも優れた防護用手袋が記載されている。指や手の甲などを補強部材によって保護する構造であるが、保護の目的は主として切創の防止であり、指が強い力で挟まれたりする場合の保護は十分ではない。
【０００４】
特許文献２には警察官の手を刃物による攻撃から保護するために、特殊繊維の手袋に金属製の鎖を取付けた手袋が記載されている。該手袋は刃物から手および指を防護するためのものであり、強い力や重量物で指が挟まれる場合には保護は十分ではない。
【０００５】
特許文献３には通常の手袋をした上から装着される、親指と人差指を保護するための補強カバーが記載されている。この補強カバーの材質は記載されていないが、一部を弾性ゴムとして指の太さの違いに合わせることが記載されているので、該カバーは金属等の剛性の高いものと推察される。図示されているカバーを金属等で作ると指の曲げ伸ばしがやりにくい。また親指と人差指以外は保護されないという問題がある。
【０００６】
【特許文献１】特開２００２−１２９４１７号公報
【特許文献２】特開平８−２９１４０５号公報
【特許文献３】実開平７−４３４４８号公報
【発明の開示】
【発明が解決しようとする課題】
【０００７】
本発明は、重量物のハンドリング作業などの、指を挟まれるおそれのある作業時に指を保護する作業用手袋を提供することを課題とする。
【課題を解決するための手段】
【０００８】
発明者は、長年にわたる現場作業の観察から、（１）手で重量物を取り扱う際の安全性を高めるために手を頑丈なケースのような防護具に入れると、かえって手指の動きが妨げられ、物を取り落としたり倒したりするなどの危険があること、及び（２）作業時に負傷しやすいのはほとんど指先であり、しかも第一指（親指）以外の指が負傷しやすいこと、を知った。
【０００９】
そこで作業用手袋において、少なくとも手の第二指〜第五指の４指が管状の補強部材で覆われており、前記管状の補強部材は各指について２つ以上の管から成り、前記の管は各指の関節部の少なくとも第２関節で指の屈伸が可能であるように結合された構造とすることにより、必要な手指の動きを確保しつつ、重量物で指を挟まれた場合等に指を保護することができることを見出し、本発明を完成した。
【００１０】
本発明の指先を保護する管状の補強部材は一般の作業用手袋の上に装用することができるので、例えば耐溶剤手袋、耐熱手袋若しくは耐切創手袋などの上に装用してもよい。耐溶剤手袋の上に装用すれば、重量物を扱い、しかも溶剤がかかるおそれのある作業において作業者の保護を図ることができる。このような作業の例としてドラム缶に溶剤を充填し、充填したドラムをパレットに載せる作業が挙げられる。
【発明の効果】
【００１１】
本発明の補強部材を取付けた作業用手袋を着用することにより、重量物のハンドリング作業等の、指を挟まれるおそれのある作業時に指を保護することができる。
【発明を実施するための最良の形態】
【００１２】
本発明の作業用手袋は、手の第二指〜第五指の４指が管状の補強部材で覆われており、前記管状の補強部材は各指について２つ以上の管から成り、前記の管は少なくとも各指の第二関節で指の屈伸が可能であるように結合されている。指の繊細な動きが必要な作業の場合は、第一関節と第二関節の両方で指を屈伸できるように３つの管で構成しても良い。さらに３つ以上に管を細かく分割して指の屈伸をよりなめらかにすることもできる。指の屈伸と、保護に必要な強度を確保することとが両立する限り、管の数は二つ以上で増やしても良い。また第一指（親指）に同様の補強部材を取付けても良い。
【００１３】
図１は作業用手袋１に本発明の補強部材２を取付けたものの一例である。１０は手の平側である。補強部材２は各指とも３つの管から成る。各管を結合する紐は図示されていない。
【００１４】
管状の補強部材の材質としては鉄やステンレス等を用いることができる。チタンは強度が高く、軽くて錆びにくいのでより好ましい。鉄を用いる場合は、管の鉄材の厚みは０．７〜２．５ｍｍが適当であり、より好ましくは１．０〜１．８ｍｍである。厚ければ当然により大きな力から指を保護できるが、補強部材が重くなって作業性を損なうことがあり得る。扱う物の重さや形状に応じてガラス繊維強化プラスチックで補強部材の管を作ることもできる。
【００１５】
補強部材を構成する管の切り口は、管の軸に直角に切るのではなく、手を握る動作がやりやすいように、指を伸ばした時に手の平側に隙間ができるような形状としても良い。その例を図３に示す。管の直径を指の太さや管の取付け位置に応じて変えても良い。図４はその一例であり、３つの管の中間部をやや太くしている。このようにすれば、指を曲げたときに管同士がぶつかりにくいので曲げ伸ばしがやりやすくなる。
【００１６】
管状の補強部材の表面に滑り止めのために凹凸などのパターンを形成してもよい。ゴム板等を貼り付けることもできる。特に手の平側に滑り止めを設けることが好適である。
【００１７】
管状の補強部材の内面は、それに接する手袋の損傷を減らすために樹脂等を被覆したり、磨き加工をしても良い。
【００１８】
各指それぞれを保護する補強部材を構成する管は、指を曲げ伸ばしできるように接合する。例えば各管の端に穴を開けて、プラスチックや合成繊維等の紐、スチールの編み線等で結合することができる。プラスチックの紐としては、プラスチック製の電機配線の結束バンド等を用いることができる。これはプラスチック製であるので補強部材の内側の手袋を傷めにくい。また該結束用具は損傷したら簡単に付け替えることができる。
【００１９】
図３は各指の補強部材２を紐５で結合した一例を示す。図３の１は作業用手袋のうち指の部分であり、同図の下側が指の腹側である。図４は補強部材２が３つの管から成る場合に、中間の管を両端の管よりも少し太くした例である。このようにすれば指を曲げた際に管同士がぶつかりにくく、指の曲げ伸ばしが容易になる。
【００２０】
作業用手袋に前記の手段で結合された２つ以上の管から成る補強部材を取付けるには、例えば手袋の指の付け根付近の手の甲側で、該補強部材の管の端に開けられた穴等を用いて該補強部材と手袋本体とを前記したプラスチックの紐等で結びつける。
【００２１】
作業手袋の上に本発明の補強部材を装着し、さらにその上に軍手等を装着して作業することもできる。このようにすることで、補強部材との接触によって物品にキズが付いたりすることを防ぐことができる。
【００２２】
本発明の補強部材を手袋に取付けるには、前記したように、該補強部材の管の端に開けられた穴等を用いて該補強部材と手袋本体とをプラスチックの紐等で結びつける方法がある。しかしこの紐で結びつける方法は、手袋の材質によっては穴を開けることが難しかったり、防水手袋などで穴を開けることができない場合には適用しにくい。
【００２３】
そこで作業用手袋の手の甲の部分に、前記管状の補強部材を着脱するための部材が設けられた構造とすることができる。例えば各指の付け根近くの手の甲に、紐を通すためのループ３を設けることができる。あるいはスナップボタンを用いたり、面ファスナーを用いて手袋本体と補強部材の着脱を行うことができる。補強部材を着脱可能とすることにより、手袋かまたは補強部材が傷んできたなら傷んだものだけを交換することが可能になる。例えば補強部材を構成する管を結合する紐等が傷んできたなら、一旦補強部材を作業用手袋から取り外して該紐を交換することができるので、メンテナンスがやりやすい。
【００２４】
図２は図１の手袋を手の甲側から見たところを示す。各指の補強部材２と手袋とは、手袋１に取付けられたループ３に通した紐４で結合されている。
【００２５】
前記したように、本発明においては指を保護する補強部材は手袋と一体である必要は無い。むしろ手袋に着脱可能とすることにより、例えば手袋が損傷したなら全部を新調するのではなく手袋だけを交換できるので、保全費用や廃棄物を削減できる。
【００２６】
また本発明は、どのような作業用手袋を着用した状態であっても本発明の補強部材を着用できるようにする用具をも提供する。
【００２７】
この用具は、手首に着用する帯状部材に、手の甲を覆う部材が取付けられており、前記の手の甲を覆う部材に、前記管状の補強部材を着脱するための部材が設けられた構造となっている。
【００２８】
図５は通常の作業用手袋９を着用した上に前記の用具を着用する例を示す。帯状の部材６を手首に巻き付けて面ファスナー７で固定する。手の甲を覆う部材８には指を保護する補強部材を取付けるためのループ３が取付けられており、図２と同様にこのループ３を用いて補強部材を取付けることができる。図５においては補強部材は図示されていない。
【００２９】
例えば軍手等の通常の手袋をした上に、該用具の帯状の部材６を手首に巻くように着用し、その帯状の部材に取付けられた手の甲を覆う部材８には、指を保護する補強部材を取付けるためのループ、スナップボタン若しくは面ファスナー等が設けられている。手の甲を覆っている部材８は補強部材をしっかり取付けるためだけのものであるので、手の甲全面を覆う必要は無い。
【００３０】
この用具を用いることにより、既製のどのような手袋でも指を保護するための補強部材を取付けることができる。それらの既製の手袋には補強部材を取付けるためのループ、スナップボタン若しくは面ファスナー等は当然に付いていない。また用途により、該手袋の素材の厚みや指の太さ等は様々であり、耐熱手袋などでは厚みの相当大きなものもあるが、それに合わせて本発明の用具のベルトの寸法や補強部材の管の直径等を調整して装着し、指を保護することができる。
【００３１】
このようにすることで、耐溶剤、耐熱等の特殊な用途の手袋にさらに補強部材を取付けた特殊な手袋を用意しなくても、既製品のそれら手袋に必要に応じて本発明の補強部材を取付けて作業することができる。指の保護だけで十分であれば、軍手等を着用せずに本発明の用具を用いて素手の上に補強部材を着用しても良い。この場合は補強部材の内面を樹脂等で内張するなどして、手指を傷つけないようにすることが好ましい。
【産業上の利用可能性】
【００３２】
重量物のハンドリング等、指を挟まれるおそれのある作業時に指を保護する作業用手袋として利用することができる。また一般の作業用手袋を使用する際に、指を保護する補強部材を付加するために利用することができる。
【図面の簡単な説明】
【００３３】
【図１】本発明の補強部材２が取付けられた作業用手袋を手の平１０の側から見た図である。
【図２】本発明の補強部材２が取付けられた作業用手袋を手の甲１１の側から見た図である。
【図３】本発明の補強部材２が紐５で結合されていることを示す図である。
【図４】本発明の補強部材２が紐５で結合されていることを示す図である。
【図５】本発明の補強部材を通常の作業手袋９に取付けるための用具を着用しているところを示す図である。
【符号の説明】
【００３４】
１    作業用手袋
２    補強部材
３    補強部材と手袋とを結合するための、手袋側に付けられたループ
４    補強部材と手袋側のループとを結合する紐
５    補強部材を構成する管を結合するための紐
６    補強部材を取付けるための用具のうち、手首に巻き付ける部材
７    面ファスナー
８    補強部材を取付けるための用具のうち、手の甲を覆う部材
９    通常の作業用手袋
１０  手袋の手の平部
１１  手袋の手の甲部
【図１】
2005240221.tif 000003
【図２】
2005240221.tif 000004
【図３】
2005240221.tif 000005
【図４】
2005240221.tif 000006
【図５】
2005240221.tif 000007